(57)【要約】【課題】画面サイズが銀塩３５ｍｍフィルムの半分程度のカメラに用いることができ、焦点距離をｆとしたときの被観察面から接眼レンズの第１レンズ成分の入射面までの距離を１．４ｆ程度とることのできる、ファインダ倍率が高倍率で、かつ、ハイアイポイントな見えの良い接眼レンズ及びそれを備えた一眼レフカメラを提供する。【解決手段】被写体側より順に、正の第１レンズ成分８ａと、正の第２レンズ成分８ｂと、負の第３レンズ成分８ｃを有し、次の条件式を満足する。２．５  ＜  ｆｂ／Ｙ  ＜  ４．０−１．０  ＜  ｆ３／ｆ  ＜  −０．２０．４  ＜  ｆ１／ｆ  ＜  ０．９５ただし、ｆｂは被観察面から第１レンズ成分の入射面までの空気換算長、Ｙは被観察面における画面対角長（ｍｍ）、ｆ３は第３レンズ成分の焦点距離、ｆ１は第１レンズ成分の焦点距離、ｆは視度−０．５（ｍ−１）における接眼レンズ全系の焦点距離である。【選択図】  図３
2004226725.tif 000002
【特許請求の範囲】
【請求項１】
被写体側より順に、正の屈折力を持つ第１レンズ成分と、
正の屈折力を持つ第２レンズ成分と、
負の屈折力を持つ第３レンズ成分を有し、
次の条件式を満足することを特徴とする接眼レンズ。
２．５  ＜  ｆｂ／Ｙ  ＜  ４．０
−１．０  ＜  ｆ３／ｆ  ＜  −０．２
０．４  ＜  ｆ１／ｆ  ＜  ０．９５
ただし、ｆｂは被観察面から第１レンズ成分の入射面までの空気換算長、Ｙは被観察面における画面対角長（ｍｍ）、ｆ３は第３レンズ成分の焦点距離、ｆ１は第１レンズ成分の焦点距離、ｆは視度−０．５（ｍ−１）における接眼レンズ全系の焦点距離である。
【請求項２】
被写体側より順に、正の屈折力を持つ第１レンズ成分と、
被写体側に凸面を向けた１枚のメニスカスレンズよりなる正の屈折力を持つ第２レンズ成分と、
瞳側の面の屈折力が被写体側の面の屈折力よりも強い、全体で負の屈折力を持つ第３レンズ成分を有し、
次の条件式を満足することを特徴とする接眼レンズ。
２．５  ＜  ｆｂ／Ｙ  ＜  ４．０
−１．０  ＜  ｆ３／ｆ  ＜  −０．２
０．４  ＜  ｆ１／ｆ  ＜  ０．９５
ただし、ｆｂは被観察面から第１レンズ成分の入射面までの空気換算長、Ｙは被観察面における画面対角長（ｍｍ）、ｆ３は第３レンズ成分の焦点距離、ｆ１は第１レンズ成分の焦点距離、ｆは視度−０．５（ｍ−１）における接眼レンズ全系の焦点距離である。
【請求項３】
被写体の像が投影されるスクリーン面と、前記スクリーン面上の像を正立化させるための複数の反射面と、前記像を観察するための正の屈折力を持つ接眼レンズとを含む一眼レフカメラにおいて、
請求項１又は２に記載の接眼レンズを備えたことを特徴とする一眼レフカメラ。
【発明の詳細な説明】
【０００１】
【発明の属する技術分野】
本発明は、本発明は、一眼レフカメラ用ファインダの接眼レンズに関し、特に銀塩３５ｍｍフィルムの半分程度の画面サイズを持つカメラに好適な接眼レンズ及びそれを備えた一眼レフカメラに関するものである。
【０００２】
【従来の技術】
近年、銀塩３５ｍｍフィルムカメラに代わる次世代カメラとしてデジタルカメラが注目されてきている。
このデジタルカメラの撮像素子として用いられるＣＣＤ等の大きさは、銀塩３５ｍｍフィルムと比較すると、対角長で数分の１から１０数分の１程度である。
このような画面サイズの小さいカメラに従来のカメラの接眼レンズをそのまま用いると、観察像が小さくなるため、撮影者に与える使用時の疲労が大きくなってしまう。
このため、この種のカメラにおいて一眼レフレックス方式を導入する場合には、像の見えを大きくするためにファインダの倍率を高くする必要がある。
【０００３】
ファインダの倍率を高くするためには、接限レンズの焦点距離を短くしなければならない。しかしながら、一般的には、接眼レンズの焦点距離を短くすると、被観察面から接眼レンズの第１レンズ成分の入射面までの距離が短くなり易い。
反面、ペンタダハプリズムなど各種光学部材を配置するスペースを確保するためには、被観察面から接眼レンズの第１レンズ成分までの距離が十分長くなければならない。
【０００４】
また、見やすいファインダとするためには、接眼レンズから観察者の瞳位置までの距離、いわゆるアイレリーフを長く確保し、かつ、蹴られが少ないことが必要であるが、このときにも被観察面から接眼レンズの第１レンズ成分までの距離を十分長くとることが必要になる。
なぜなら、一般にアイレリーフを長く確保する（ハイアイポイント化する）ためには、接眼レンズの口径を大きくするとともにペンタダハプリズムの射出面における有効開口部を拡大する必要がある。このとき、射出面における有効開口部の拡大に伴ってペンタダハブリズム自体が大型化されることになり、プリズム内で展開される光路長が増加するからである。
【０００５】
以上のことから、ファインダ倍率が高倍率であると同時に、プリズム等の各種光学部材が配置できるスペースを確保でき、またハイアイポイント化した接眼レンズを実現するためには、短い焦点距離でありながらも被観察面から接眼レンズの第１レンズ成分の入射面までの距離を十分に長く確保するという、相反する要件を満たすことが不可欠である。
【０００６】
しかるに、従来、焦点距離に比べて被観察面から接眼レンズの第１レンズ成分の入射面までの距離が長い接眼レンズとしては、例えば、特許文献１や特許文献２に記載のものがある。
【０００７】
【特許文献１】
特公平０７−１０７０５８１号公報
【特許文献２】
特許第２７２６２６１号公報
【０００８】
【発明が解決しようとする課題】
しかし、特許文献１，２に記載の接限レンズは、接眼レンズ全系の焦点距離をｆとしたときの被観察面から接眼レンズの第１レンズ成分の入射面までの距離が１．１ｆ程度であって、十分な長さが確保されているとはいえなかった。
【０００９】
本発明は上記問題点に鑑みてなされたのであり、画面サイズが銀塩３５ｍｍフィルムの半分程度のカメラに用いることができ、焦点距離をｆとしたときの被観察面から接眼レンズの第１レンズ成分の入射面までの距離を１．４ｆ程度とることのできる、ファインダ倍率が高倍率で、かつ、ハイアイポイントな見えの良い接眼レンズ及びそれを備えた一眼レフカメラを提供することを目的とする。
【００１０】
【課題を解決するための手段】
上記目的を達成するため、本第１の発明による接眼レンズは、被写体側より順に、正の屈折力を持つ第１レンズ成分と、正の屈折力を持つ第２レンズ成分と、負の屈折力を持つ第３レンズ成分を有し、次の条件式（１），（２），（３）を満足することを特徴としている。
２．５  ＜  ｆｂ／Ｙ  ＜  ４．０                          …（１）
−１．０  ＜  ｆ３／ｆ  ＜  −０．２                        …（２）
０．４  ＜  ｆ１／ｆ  ＜  ０．９５                        …（３）
ただし、ｆｂは被観察面から第１レンズ成分の入射面までの空気換算長、Ｙは被観察面における画面対角長（ｍｍ）、ｆ３は第３レンズ成分の焦点距離、ｆ１は第１レンズ成分の焦点距離、ｆは視度−０．５（ｍ−１）における接眼レンズ全系の焦点距離である。
【００１１】
また、本第２の発明による接眼レンズは、被写体側より順に、正の屈折力を持つ第１レンズ成分と、被写体側に凸面を向けた１枚のメニスカスレンズよりなる正の屈折力を持つ第２レンズ成分と、瞳側の面の屈折力が被写体側の面の屈折力よりも強い、全体で負の屈折力を持つ第３レンズ成分を有し、次の条件式を満足することを特徴としている。
２．５  ＜  ｆｂ／Ｙ  ＜  ４．０
−１．０  ＜  ｆ３／ｆ  ＜  −０．２
０．４  ＜  ｆ１／ｆ  ＜  ０．９５
ただし、ｆｂは被観察面から第１レンズ成分の入射面までの空気換算長、Ｙは被観察面における画面対角長（ｍｍ）、ｆ３は第３レンズ成分の焦点距離、ｆ１は第１レンズ成分の焦点距離、ｆは視度−０．５（ｍ−１）における接眼レンズ全系の焦点距離である。
【００１２】
また、本第３の発明による接眼レンズを備えた一眼レフカメラは、被写体の像が投影されるスクリーン面と、前記スクリーン面上の像を正立化させるための複数の反射面と、前記像を観察するための正の屈折力を持つ接眼レンズとを含む一眼レフカメラにおいて、本第１又は第２の発明の接眼レンズを備えたことを特徴としている。
【００１３】
【発明の実施の形態】
実施例の説明に先立ち、本発明の作用について説明する。
本発明の接眼レンズのように、被写体側より順に、正の屈折力を持つ第１レンズ成分と、正の屈折力を持つ第２レンズ成分と、負の屈折力を持つ第３レンズ成分を有して構成すれば、正負の順での屈折力を持つ配置により、接眼レンズの主点位置を被写体側にシフトすることができ、被観察面から接眼レンズの第１レンズ成分の入射面までの距離を十分な長さ確保することができる。
【００１４】
また、本第２の発明の接眼レンズのように、第２レンズ成分を被写体側に凸面を向けた１枚のメニスカスレンズで構成すれば、接眼レンズの主点位置を被写体側により一層シフトすることができ、被観察面から接眼レンズの第１レンズ成分の入射面までの距離を長く確保するのにより一層有利となる。
【００１５】
また、本発明の接眼レンズでは、第３レンズ成分を通る軸外主光線は被写体側の面を通る光線高のほうが瞳側の面を通る光線高よりも高くなっている。
このため、本第２の発明の接眼レンズのように、第３レンズ成分を、瞳側の面の屈折力が被写体側の面の屈折力よりも強い、全体で負の屈折力を持つレンズ成分で構成すれば、全体での収差発生量を小さく抑えることができる。
【００１６】
次に、条件式について説明する。
接眼レンズを備えた一眼レフカメラのファインダにおいては、被観察面から接眼レンズの第１レンズ成分の入射面までのスペースには、ペンタダハブリズムあるいはペンタダハミラー等の正立正像用光学部材が配置される。従って、これらの部材が問題なく構成できるだけのスペースが必要となる。
そこで、本発明の接眼レンズは、被観察面から接眼レンズの第１レンズ成分の入射面までの距離は次の条件式（１）を満足するのが良い。
２．５  ＜  ｆｂ／Ｙ  ＜  ４．０                          …（１）
ただし、ｆｂは被観察面から第１レンズ成分の入射面までの空気換算長、Ｙは被観察面における画面対角長（ｍｍ）である。
条件式（１）の下限値を下回ると、被観察面から接眼レンズの第１レンズ成分の入射面までのスペースが不足となり正立正像系が構成できなくなってしまう。一方、条件式（１）の上限値を上回ると、十分な収差補正ができなくなってしまう。
【００１７】
なお、条件式（１）の下限値を２．８又は３．０とするのがより望ましく、条件式（１）の上限値を３．７５又は３．５とするのがより望ましい。
例えば、次の条件式（１−１）あるいは（１−２）を満足するのがより望ましい。
２．８  ＜  ｆｂ／Ｙ  ＜  ４．０                          …（１−１）
３．０  ＜  ｆｂ／Ｙ  ＜  ３．７５                        …（１−２）
【００１８】
上述のように本発明の接眼レンズは、各レンズ成分の屈折力が正、正、負となるように配置し、第３レンズ成分の負の屈折力を強くして前側主点位置を接眼レンズの被写体側にシフトすることで、焦点距離を長くすることなく、被観察面から接眼レンズの第１レンズ成分の入射面までの距離を十分な長さ確保している。
このとき、次の条件式（２）を満足するのが良い。
−１．０  ＜  ｆ３／ｆ  ＜  −０．２                        …（２）
ただし、ｆ３は第３レンズ成分の焦点距離、ｆは視度−０．５（ｍ−１）における接眼レンズ全系の焦点距離である。
条件式（２）の下限値を下回って第３レンズ成分の負の屈折力が弱くなると、前側主点位置を接眼レンズの被写体側にシフトする効果が弱くなり、被観察面から接眼レンズの第１レンズ成分の入射面までの距離を十分な長さ確保することができなくなってしまう。
一方、条件式（２）の上限値を上回って第３レンズ成分の負の屈折力が強くなると、十分な収差補正ができなくなってしまう。
【００１９】
なお、条件式（２）の下限値を−０．８又は−０．５３とするのがより望ましく、上限値を−０．２５又は−０．３とするのがより望ましい。
例えば、次の条件式（２−１）あるいは（２−２）を満足するのがより望ましい。
−０．８  ＜  ｆ３／ｆ  ＜  −０．２                        …（２−１）
−０．５３  ＜  ｆ３／ｆ  ＜  −０．２５                    …（２−２）
【００２０】
また、本発明の接眼レンズは、第１レンズ成分に適切な屈折力を持たせるために、次の条件式（３）を満足するのが良い。
０．４  ＜  ｆ１／ｆ  ＜  ０．９５                        …（３）
ただし、ｆ１は第１レンズ成分の焦点距離、ｆは視度−０．５（ｍ−１）における接眼レンズ全系の焦点距離である。
条件式（３）の下限値を下回って第１レンズ成分の正の屈折力が強くなると、収差補正を十分に行うことが困難になってしまう。
一方、条件式（３）の上限値を上回って第１レンズ成分の屈折力が弱くなると、第１レンズ成分よりも被写体側での光線高が高くなるため、被観察面と接眼レンズとの間に配置されたプリズム等で蹴られが生じ、アイレリーフを長くとることができなくなる。
【００２１】
なお、条件式（３）の下限値を０．４５又は０．５とするのがより望ましく、上限値を０．８７又は０．８５とするのがより望ましい。
例えば、次の条件式（３−１）あるいは（３−２）を満足するのがより望ましい。
０．４５  ＜  ｆ１／ｆ  ＜  ０．８７                      …（３−１）
０．５  ＜  ｆ１／ｆ  ＜  ０．８５                        …（３−２）
【００２２】
本発明の接眼レンズは、焦点距離を短くすると同時に、負の屈折力を強くして前側主点位置を接眼レンズの被写体側にシフトするように構成しているため、必然的に正および負の屈折力を持つ各レンズ成分はいずれもパワーが強くなる。このため、正の屈折力を持つレンズ成分と負の屈折力を持つレンズ成分との屈折力のバランスをとることによる軸上色収差の補正が難しくなってくる。
各レンズ成分の屈折力の配置を適切なバランスとなるように設定するとともに、より効果的に軸上色収差を補正するには、第１レンズ成分あるいは第３レンズ成分を接合レンズで構成し、各レンズ成分での色収差の発生を最小に抑えるのが良い。
また、後述するように、視度調整のためにレンズ成分を移動させることを考慮して、第２レンズ成分を１枚のみのレンズからなる正メニスカスレンズで構成して、レンズ駆動系の重量負担を軽減するのが望ましい。
【００２３】
また、本発明の接眼レンズのような屈折力の配置でもってハイアイポイント化を実現させると、第１レンズ成分での軸外主光線の高さが高くなりやすい。すると、正の第１レンズ成分と負の第３レンズ成分とで軸外主光線高さの違いが大きくなるため、倍率色収差の発生量が両レンズ成分で大きく異なり、その補正を行うのが困難になり、第１レンズ成分で発生した倍率色収差が残存してしまう。この残存する倍率色収差量を最小限に抑えるためには、第１レンズ成分に低分散の硝材を用いると効果的である。具体的には、第１レンズ成分にアッベ数が８０以上の硝材を用いるのが良い。より好ましくは、アッベ数が８０以上１００以下、又は８１以上９５以下の硝材を用いるのが望ましい。
【００２４】
また、本発明の接眼レンズに用いる一眼レフカメラの画面サイズは銀塩フィルムの半分程度である。
そこで、本発明の接眼レンズは、次の条件式（４）を満足するのが良い。
１６．０  ＜  Ｙ  ＜  ２８．０                            …（４）
ただし、Ｙは被観察面における画面対角長（ｍｍ）である。
条件式（４）の下限値を下回って画面サイズが小さくなると、ファインダ倍率を一層上げなければならず、本発明の構成では実現困難であり、より複雑な光学系が必要となってしまう。
一方、条件式（４）の上限値を上回って画面サイズが大きくなると、カメラ全体の大きさが大きくなってしまい好ましくない。
【００２５】
なお、条件式（４）の下限値を１８．０又は２０．０とするのがより望ましく、上限値を２７．０又は２６．０とするのがより望ましい。
例えば、次の条件式（４−１）あるいは（４−２）を満足するのがより望ましい。
１８．０  ＜  Ｙ  ＜  ２７．０                            …（４−１）
２０．０  ＜  Ｙ  ＜  ２６．０                            …（４−２）
【００２６】
また、視度調整のためには、第２レンズ成分を単独で移動させるのが望ましい。そのようにすれば、可動群の前後を固定レンズで密閉することにより、ファインダ内へのゴミの侵入を防ぐことができる。また、第１レンズ成分が固定とすることができるから、第１レンズ成分の周囲のスペースを、例えば他の部材を配置するスペースとして利用することができる。
【００２７】
また、本発明の接眼レンズは、上述のように、被写体側から順に、正の屈折力を持つ第１レンズ成分、正の屈折力を持つ第２レンズ成分、負の屈折力を持つ第３レンズ成分の３つのレンズ成分で構成することで、被観察面から接眼レンズの第１レンズ成分の入射面までの距離が長くなるようにしている。
このとき、接眼レンズを構成するレンズ枚数を４枚以下とし、特に、４枚とすれば、十分な性能を確保し、かつ、コストを低減することができる。
【００２８】
また、本発明の接眼レンズは、上述のように、第３レンズ成分の負の屈折力を強くして前側主点位置を接眼レンズの被写体側にシフトすることで、焦点距離を長くすることなく、被観察面から接眼レンズの第１レンズ成分の入射面までの距離を十分な長さ確保している。
このとき、正の屈折力を担う第１レンズ成分及び第２レンズ成分とにおいて持たせる屈折力の負担の程度は、収差発生を抑えるためにほぼ同程度とし、かつ、次の条件式（５）を満足するのが望ましい。
０．５＜  ｆ２／ｆ  ＜  １．２                            …（５）
ただし、ｆ２は第２レンズ成分の焦点距離、ｆは視度−０．５（ｍ−１）における接眼レンズ全系の焦点距離である。
条件式（５）の下限値を下回ると、第２レンズ成分の屈折力が強くなり、ペッツバール和が悪化してしまう。また、第２レンズ成分を移動させて視度調整したときに、各視度状態での収差が変動し、特に球面収差と非点収差の変動が大きくなってしまう。このため、全視度調整範囲にわたって収差を適切に補正することが難しくなってしまう。
一方、条件式（５）の上限値を上回ると、第２レンズ成分の屈折力が弱くなり、第１レンズでの軸外主光線の光線高が高くなる。このため、第１レンズ成分で発生する軸外収差が大きくなり、特に、倍率色収差が大きくなり、その補正が困難になってしまう。また、光線高が高くなるので、プリズム等で蹴られが生じ、十分なアイレリーフを確保することができなくなってしまう。
【００２９】
なお、条件式（５）の下限値を０．５５又は０．６とするのがより望ましく、上限値を１．０又は１．２とするのがより望ましい。
例えば、次の条件式（５−１）あるいは（５−２）を満足するのがより望ましい。
０．５５＜  ｆ２／ｆ  ＜  １．０                          …（５−１）
０．６＜  ｆ２／ｆ  ＜  ０．９                            …（５−２）
【００３０】
また、本発明の接眼レンズは、第３レンズ成分の負の屈折力を強くして前側主点を接眼レンズの被写体側へシフトするためには、次の条件式（６）を満足するのが好ましい。
−１．３  ＜  ｆ１２／ｆ３  ＜  −０．９                    …（６）
ただし、ｆ１２は第１レンズ成分と第２レンズ成分との合成焦点距離、ｆ３は第３レンズ成分の焦点距離である。
条件式（６）の下限値を下回ると、第３レンズ成分の負の屈折力が強くなりすぎて収差補正を行うのが困難になってしまう。
一方、条件式（６）の上限値を上回ると、前側主点を接眼レンズの被写体側へ十分にシフトすることができないため、被観察面から接眼レンズの第１レンズ成分の入射面までの距離を十分な長さ確保することが難しくなってしまう。
【００３１】
なお、条件式（６）の下限値を−１．２５又は−１．２とするのがより望ましく、上限値を−０．９５又は−１．０とするのがより望ましい。
例えば、次の条件式（６−１）あるいは（６−２）を満足するのがより望ましい。
−１．２５  ＜  ｆ１２／ｆ３  ＜  −０．９５                …（６−１）
−１．２  ＜  ｆ１２／ｆ３  ＜  −１．０                    …（６−２）
【００３２】
以下、本発明の実施例について図面を用いて説明する。
図１は本発明の接眼レンズを備えた一眼レフカメラの一実施形態を示す各実施例に共通の概略構成図である。
図１の一眼レフカメラ１は、図示しないマウント部により、カメラに対して撮影レンズ２が交換可能に構成されている。なお、本発明では撮影レンズを含まない構成であっても、撮影レンズが装着可能に構成されていれば一眼レフカメラであるものと定義する。
【００３３】
図１において、４は電子撮像素子としてのＣＣＤであり、このＣＣＤからの信号を元に処理回路で画像処理を行い、メモリーに画像情報を記憶させる。記憶された画像情報は、図示しないパソコン等により画像表示を行ったり、種々の情報記憶媒体に情報を記録し、保管することができる。
５は撮影レンズ２の光軸３上に撮影レンズ２とＣＣＤ４との間に配置されたクイックリターンミラー、６はクイックリターンミラーより反射された光路に配置されたファインダースクリーンであり、入射面又は射出面側は砂ずり面等で構成されている。
７はペンタダハプリズムであり、ペンタダハプリズム７は光路順に、平面入射面７ａ、ダハ反射面７ｂ、平面反射面７ｃ、平面射出面７ｄを備えて構成されている。
８は接眼レンズであり、後述する各実施例に示すいずれかの態様で構成されている。
接眼レンズ８の射出側には、カバーガラスとしての平行平面板９が設けられている。
そして、射出した光束は観察者の瞳１０に導かれ、撮影しようとする画像が観察される。
【００３４】
なお、本発明の一眼レフカメラは、撮影レンズ２が一眼レフカメラ本体と一体化し、一眼レフカメラに対して交換可能でない構成であっても構わない。
また、ＣＣＤ４の代わりに写真用フイルムを配置した構成であっても構わない。
また、クイックリターンミラー５の代わりにハーフミラーや光路分割プリズムを用いた構成であっても構わない。
また、スクリーン面６は砂ずり面のほかに、微小プリズムの集合した面や、ホログラム面等で構成してもよい。
また、スクリーン面６に対向する面をフレネルレンズ面や凸面等の収斂作用を持つ光学面で構成し、画面周辺の集光作用を高めるようにしてもよい。
【００３５】
また、ペンタダハプリズム７のほかに、ダハミラーと平面ミラーとからなる構成や、夫々別個に像正立のための複数の反射面をもつ構成としてもよい。
また、この像正立系にプリズムを用いる場合は、入射面や射出面に光学的屈折力をもたせるか、又は、スクリーン面６の近傍に視野レンズを配置することで、より収差補正、集光効率の向上等を行うことが可能となる。
この場合、全系の焦点距離ｆはこのプリズムの屈折力も加えた値となる。一方、空気換算長ｆｂはスクリーン面６から接眼レンズ８の第１レンズ成分８ａの入射面までの空気換算長でよい。
【００３６】
図２は本発明の各条件式における各要素を説明するための図である。
図２は砂ずり面等で構成されるスクリーン面６を示したものである。スクリーン面６上若しくはその近傍には、視野範囲を制限するための構成（例えば黒塗り、視野枠等）が施されている。なお、Ｙは、スクリーン面６上における観察可能な範囲の画面対角長である。
【００３７】
第１実施例
図３は本発明による接眼レンズを備えた一眼レフカメラの第１実施例にかかる光学構成を示す光軸に沿う断面図であり、視度が−０．５ｍ−１のときの状態を示している。なお、図３における平行平板状部材は説明の便宜上ペンタダハプリズムを転開して示したものである。図４は第１実施例における球面収差、像面湾曲、歪曲収差、倍率色収差を示す図であり、（ａ）は視度が＋１ｍ−１のとき、（ｂ）は視度が−０．５ｍ−１のとき、（ｃ）は視度が−３ｍ−１のときの状態を示している。なお、図４の球面収差と像面湾曲における横軸は視度（ｍ−１）であり、倍率色収差における横軸は角度（分）である。
第１実施例の接眼レンズを備えた一眼レフカメラは、ペンタダハプリズム７と、接眼レンズ８を備えている。
接眼レンズ８は、被写体側より順に、両凸正レンズからなる正の屈折力を持つ第１レンズ成分８ａと、被写体側に凸面を向けた１枚の正メニスカスレンズからなる正の屈折力を持つ第２レンズ成分８ｂと、両凹負レンズからなる負の屈折力を持つ第３レンズ成分８ｃとで構成されている。また、視度調整は第２レンズ成分８ｂを移動して行うようになっている。
【００３８】
次に、第１実施例にかかる接眼レンズを備えた一眼レフカメラを構成する光学部材の数値データを示す。
なお、第１実施例の数値データにおいて、ｒ１、ｒ２、…は各レンズ面又はプリズム面の曲率半径、ｄ１、ｄ２、…は各レンズ又はプリズムの肉厚または空気間隔、ｎｄ１、ｎｄ２、…は各レンズ又はプリズムのｄ線での屈折率、νｄ１、νｄ２、…は各レンズ又はプリズムのアッべ数、ｆはスクリーン面から接眼レンズ射出面までの全系の焦点距離を表している。
なお、これらの記号は後述の実施例の数値データにおいても共通である。
【００３９】
数値データ１
2004226725.tif 000003
2004226725.tif 000004
2004226725.tif 000005
【００４０】
第２実施例
図５は本発明による接眼レンズを備えた一眼レフカメラの第２実施例にかかる光学構成を示す光軸に沿う断面図であり、視度が−０．５ｍ−１のときの状態を示している。なお、図５における平行平板状部材は説明の便宜上ペンタダハプリズムを転開して示したものである。図６は第２実施例における球面収差、像面湾曲、歪曲収差、倍率色収差を示す図であり、（ａ）は視度が＋１ｍ−１のとき、（ｂ）は視度が−０．５ｍ−１のとき、（ｃ）は視度が−３ｍ−１のときの状態を示している。なお、図６の球面収差と像面湾曲における横軸は視度（ｍ−１）であり、倍率色収差における横軸は角度（分）である。
第２実施例の接眼レンズを備えた一眼レフカメラは、ペンタダハプリズム７と、接眼レンズ８を備えている。
接眼レンズ８は、被写体側より順に、両凸正レンズからなる正の屈折力を持つ第１レンズ成分８ａと、被写体側に凸面を向けた１枚の正メニスカスレンズからなる正の屈折力を持つ第２レンズ成分８ｂと、両凸正レンズと両凹負レンズとの接合レンズからなり全体で負の屈折力を持つ第３レンズ成分８ｃ’とで構成されている。また、視度調整は第２レンズ成分８ｂを移動して行うようになっている。
【００４１】
次に、第２実施例の接眼レンズを構成する光学部材の数値データを示す。
数値データ２
2004226725.tif 000006
2004226725.tif 000007
2004226725.tif 000008
【００４２】
第３実施例
図７は本発明による接眼レンズを備えた一眼レフカメラの第３実施例にかかる光学構成を示す光軸に沿う断面図であり、視度が−０．５ｍ−１のときの状態を示している。なお、図７における平行平板状部材は説明の便宜上ペンタダハプリズムを転開して示したものである。図８は第３実施例における球面収差、像面湾曲、歪曲収差、倍率色収差を示す図であり、（ａ）は視度が＋１ｍ−１のとき、（ｂ）は視度が−０．５ｍ−１のとき、（ｃ）は視度が−３ｍ−１のときの状態を示している。なお、図８の球面収差と像面湾曲における横軸は視度（ｍ−１）であり、倍率色収差における横軸は角度（分）である。
第３実施例の接眼レンズを備えた一眼レフカメラは、ペンタダハプリズム７と、接眼レンズ８を備えている。
接眼レンズ８は、被写体側より順に、両凸正レンズからなる正の屈折力を持つ第１レンズ成分８ａと、被写体側に凸面を向けた１枚の正メニスカスレンズからなる正の屈折力を持つ第２レンズ成分８ｂと、両凸正レンズと両凹負レンズとの接合レンズからなり全体で負の屈折力を持つ第３レンズ成分８ｃ’とで構成されている。また、視度調整は第２レンズ成分８ｂを移動して行うようになっている。
【００４３】
次に、第３実施例の接眼レンズを構成する光学部材の数値データを示す。
数値データ３
2004226725.tif 000009
2004226725.tif 000010
2004226725.tif 000011
【００４４】
第４実施例
図９は本発明による接眼レンズを備えた一眼レフカメラの第４実施例にかかる光学構成を示す光軸に沿う断面図であり、視度が−０．５ｍ−１のときの状態を示している。なお、図９における平行平板状部材は説明の便宜上ペンタダハプリズムを転開して示したものである。図１０は第４実施例における球面収差、像面湾曲、歪曲収差、倍率色収差を示す図であり、（ａ）は視度が＋１ｍ−１のとき、（ｂ）は視度が−０．５ｍ−１のとき、（ｃ）は視度が−３ｍ−１のときの状態を示している。なお、図１０の球面収差と像面湾曲における横軸は視度（ｍ−１）であり、倍率色収差における横軸は角度（分）である。
第４実施例の接眼レンズを備えた一眼レフカメラは、ペンタダハプリズム７と、接眼レンズ８を備えている。
接眼レンズ８は、被写体側より順に、被写体側に凸面を向けた負メニスカスレンズと両凸正レンズとを接合してなり全体で正の屈折力を持つ第１レンズ成分８ａ’と、被写体側に凸面を向けた１枚の正メニスカスレンズからなる正の屈折力を持つ第２レンズ成分８ｂと、被写体側に凸面を向けた負メニスカスレンズからなる負の屈折力を持つ第３レンズ成分８ｃ”とで構成されている。また、視度調整は第２レンズ成分８ｂを移動して行うようになっている。
【００４５】
次に、第４実施例の接眼レンズを構成する光学部材の数値データを示す。
数値データ４
2004226725.tif 000012
2004226725.tif 000013
2004226725.tif 000014
【００４６】
第５実施例
図１１は本発明による接眼レンズを備えた一眼レフカメラの第５実施例にかかる光学構成を示す光軸に沿う断面図であり、視度が−０．５ｍ−１のときの状態を示している。なお、図１１における平行平板状部材は説明の便宜上ペンタダハプリズムを転開して示したものである。図１２は第５実施例における球面収差、像面湾曲、歪曲収差、倍率色収差を示す図であり、（ａ）は視度が＋１ｍ−１のとき、（ｂ）は視度が−０．５ｍ−１のとき、（ｃ）は視度が−３ｍ−１のときの状態を示している。なお、図１２の球面収差と像面湾曲における横軸は視度（ｍ−１）であり、倍率色収差における横軸は角度（分）である。
第５実施例の接眼レンズを備えた一眼レフカメラは、ペンタダハプリズム７と、接眼レンズ８を備えている。
接眼レンズ８は、被写体側より順に、両凸正レンズからなる正の屈折力を持つ第１レンズ成分８ａと、被写体側に凸面を向けた１枚の正メニスカスレンズからなる正の屈折力を持つ第２レンズ成分８ｂと、両凸正レンズと両凹負レンズとの接合レンズからなり全体で負の屈折力を持つ第３レンズ成分８ｃ’とで構成されている。また、視度調整は第２レンズ成分８ｂを移動して行うようになっている。
【００４７】
次に、第５実施例の接眼レンズを構成する光学部材の数値データを示す。
数値データ５
2004226725.tif 000015
2004226725.tif 000016
2004226725.tif 000017
【００４８】
次に、各実施例における本発明の条件式の数値を次の表１に示す。
表１
2004226725.tif 000018
【００４９】
また、各実施例における要素値を次の表２に示す。
表２
2004226725.tif 000019
【００５０】
以上説明したように、本発明の接眼レンズ及びそれを備えた一眼レフカメラは、特許請求の範囲に記載された特徴の他に、次に示すような特徴も備えている。
【００５１】
（１）被写体側より順に、正の屈折力を持つ第１レンズ成分と、被写体側に凸面を向けた１枚のメニスカスレンズよりなる正の屈折力を持つ第２レンズ成分と、瞳側の面の屈折力が被写体側の面の屈折力よりも強い、全体で負の屈折力を持つ第３レンズ成分を有し、次の条件式を満足することを特徴とする接眼レンズ。
２．５  ＜  ｆｂ／Ｙ  ＜  ４．０
０．４  ＜  ｆ１／ｆ  ＜  ０．９５
ただし、ｆｂは被観察面から第１レンズ成分の入射面までの空気換算長、Ｙは被観察面における画面対角長（ｍｍ）、ｆ１は第１レンズ成分の焦点距離、ｆは視度−０．５（ｍ−１）における接眼レンズ全系の焦点距離である。
【００５２】
（２）被写体側より順に、正の屈折力を持つ第１レンズ成分と、被写体側に凸面を向けた１枚のメニスカスレンズよりなる正の屈折力を持つ第２レンズ成分と、瞳側の面の屈折力が被写体側の面の屈折力よりも強い、全体で屈折力を持つ第３レンズ成分とを有し、次の条件式を満足することを特徴とする接眼レンズ。
−１．０  ＜  ｆ３／ｆ  ＜  −０．２
０．４  ＜  ｆ１／ｆ  ＜  ０．９５
ただし、ｆ３は第３レンズ成分の焦点距離、ｆ１は第１レンズ成分の焦点距離、ｆは視度−０．５（ｍ−１）における接眼レンズ全系の焦点距離である。
【００５３】
（３）被写体側より順に、正の屈折力を持つ第１レンズ成分と、被写体側に凸面を向けた１枚のメニスカスレンズよりなる正の屈折力を持つ第２レンズ成分と、瞳側の面の屈折力が被写体側の面の屈折力よりも強い、全体で負の屈折力を持つ第３レンズ成分とを有し、次の条件式を満足することを特徴とする接眼レンズ。
０．４  ＜  ｆ１／ｆ  ＜  ０．９５
ただし、ｆ１は第１レンズ成分の焦点距離、ｆは視度−０．５（ｍ−１）における接眼レンズ全系の焦点距離である。
【００５４】
（４）次の条件式を満足することを特徴とする請求項１、２、上記（１）〜（３）のいずれかに記載の接眼レンズ。
１６．０  ＜  Ｙ  ＜  ２８．０
ただし、Ｙは被観察面における画面対角長（ｍｍ）である。
【００５５】
（５）次の条件式を満足することを特徴とする請求項１、２、上記（１）〜（４）のいずれかに記載の接眼レンズ。
０．５  ＜  ｆ２／ｆ  ＜  １．２
ただし、ｆ２は第２レンズ成分の焦点距離、ｆは視度−０．５（ｍ−１）における接眼レンズ全系の焦点距離である。
【００５６】
（６）次の条件式を満足することを特徴とする請求項１、２、上記（１）〜（５）のいずれかに記載の接眼レンズ。
−１．３  ＜  ｆ１２／ｆ３  ＜  −０．９
ただし、ｆ１２は第１レンズ成分と第２レンズ成分との合成焦点距離、ｆ３は第３レンズ成分の焦点距離である。
【００５７】
（７）前記第１レンズ成分にアッベ数が８０以上である正レンズを用いたことを特徴とする請求項１、２、上記（１）〜（６）のいずれかに記載の接眼レンズ。
【００５８】
（８）前記第２レンズ成分を光軸方向に移動させることにより視度調整を行うようにしたことを特徴とする請求項１、２、上記（１）〜（５）のいずれかに記載の接眼レンズ。
【００５９】
（９）第レンズ成分又は第３レンズ成分が接合レンズで構成されていることを特徴とする請求項１、２、上記（１）〜（８）のいずれかに記載の接眼レンズ。
【００６０】
（１０）４枚のレンズで構成されていることを特徴とする請求項１、２、上記（１）〜（９）のいずれかに記載の接眼レンズ。
【００６１】
（１１）被写体の像が投影されるスクリーン面と、前記スクリーン面上の像を正立化させるための複数の反射面と、前記像を観察するための正の屈折力を持つ接眼レンズとを含む一眼レフカメラにおいて、上記（１）〜（１０）のいずれかに記載の接眼レンズを備えたことを特徴とする一眼レフカメラ。
【００６２】
【発明の効果】
本発明の接眼レンズ及びそれを備えた一眼レフカメラによれば、画面サイズが銀塩３５ｍｍフィルムの半分程度で、焦点距離をｆとしたときに被観察面から第１レンズ成分の入射面まで距離が１．４ｆ程度と長く、かつ、ファインダ倍率が高倍率でハイアイポイントな見えの良い接眼レンズ及びそれを備えた一眼レフカメラを得ることができる。
【図面の簡単な説明】
【図１】本発明の接眼レンズを備えた一眼レフカメラの一実施形態を示す各実施例に共通の概略構成図である。
【図２】本発明の各条件式における要素を説明するための図であり、砂ずり面等で構成されるスクリーン面を示したものである。
【図３】本発明による接眼レンズを備えた一眼レフカメラの第１実施例にかかる光学構成を示す光軸に沿う断面図であり、視度が−０．５ｍ−１のときの状態を示している。
【図４】第１実施例における球面収差、像面湾曲、歪曲収差、倍率色収差を示す図であり、（ａ）は視度が＋１ｍ−１のとき、（ｂ）は視度が−０．５ｍ−１のとき、（ｃ）は視度が−３ｍ−１のときの状態を示している。
【図５】本発明による接眼レンズを備えた一眼レフカメラの第２実施例にかかる光学構成を示す光軸に沿う断面図であり、視度が−０．５ｍ−１のときの状態を示している。
【図６】第２実施例における球面収差、像面湾曲、歪曲収差、倍率色収差を示す図であり、（ａ）は視度が＋１ｍ−１のとき、（ｂ）は視度が−０．５ｍ−１のとき、（ｃ）は視度が−３ｍ−１のときの状態を示している。
【図７】本発明による接眼レンズを備えた一眼レフカメラの第３実施例にかかる光学構成を示す光軸に沿う断面図であり、視度が−０．５ｍ−１のときの状態を示している。
【図８】第３実施例における球面収差、像面湾曲、歪曲収差、倍率色収差を示す図であり、（ａ）は視度が＋１ｍ−１のとき、（ｂ）は視度が−０．５ｍ−１のとき、（ｃ）は視度が−３ｍ−１のときの状態を示している。
【図９】本発明による接眼レンズを備えた一眼レフカメラの第４実施例にかかる光学構成を示す光軸に沿う断面図であり、視度が−０．５ｍ−１のときの状態を示している。
【図１０】第４実施例における球面収差、像面湾曲、歪曲収差、倍率色収差を示す図であり、（ａ）は視度が＋１ｍ−１のとき、（ｂ）は視度が−０．５ｍ−１のとき、（ｃ）は視度が−３ｍ−１のときの状態を示している。
【図１１】本発明による接眼レンズを備えた一眼レフカメラの第５実施例にかかる光学構成を示す光軸に沿う断面図であり、視度が−０．５ｍ−１のときの状態を示している。
【図１２】第５実施例における球面収差、像面湾曲、歪曲収差、倍率色収差を示す図であり、（ａ）は視度が＋１ｍ−１のとき、（ｂ）は視度が−０．５ｍ−１のとき、（ｃ）は視度が−３ｍ−１のときの状態を示している。
【符号の説明】
１          一眼レフカメラ
２          撮影レンズ
３          光軸
４          ＣＣＤ
５          クイックリターンミラー
６          スクリーン面
７          ペンタダハプリズム
８          接眼レンズ
８ａ，８ａ’                正の屈折力を有する第１レンズ成分
８ｂ        正の屈折力を有する第２レンズ成分
８ｃ，８ｃ’，８ｃ”    負の屈折力を有する第３レンズ成分
９          平行平面板（カバーガラス）
１０        観察者の瞳（射出瞳）
【図１】
2004226725.tif 000020
【図２】
2004226725.tif 000021
【図３】
2004226725.tif 000022
【図４】
2004226725.tif 000023
【図５】
2004226725.tif 000024
【図６】
2004226725.tif 000025
【図７】
2004226725.tif 000026
【図８】
2004226725.tif 000027
【図９】
2004226725.tif 000028
【図１０】
2004226725.tif 000029
【図１１】
2004226725.tif 000030
【図１２】
2004226725.tif 000031